(57)【要約】【課題】  ケースを持たない熱転写インクフィルムにおいて、簡素な構成で、交換に際するユーザの負担も軽く、フィルム供給リールから不要にフィルム体が繰り出されて撓むことがないインクフィルムを提供する。【解決手段】  フィルム供給リール２１の軸方向端部領域にフィルム供給リール２１の回転を許す状態で装着される一方、熱転写式記録装置１０に取り外し可能に固定され得るブレーキ部材２６を有している。ブレーキ部材２６は、単一の材質製であり、フィルム供給リール２１の端部領域を押圧することでフィルム供給リール２１の回転方向に負荷を与えるバネ部２６３を備えている。【選択図】  図２
2006327119.tif 000002
【特許請求の範囲】
【請求項１】
フィルム供給リールと、フィルム巻取リールと、フィルム供給リール上に巻回されていると共に先端がフィルム巻取リールに取り付けられたフィルム体とを有する熱転写インクフィルムにおいて、
前記フィルム供給リールの軸方向端部領域に該フィルム供給リールの回転を許す状態で装着される一方、熱転写式記録装置に取り外し可能に固定され得るブレーキ部材を有し、
前記ブレーキ部材が、単一の材質製であり、前記フィルム供給リールの前記端部領域を押圧することで該フィルム供給リールの回転方向に負荷を与えるバネ部を備えていることを特徴とする熱転写インクフィルム。
【請求項２】
前記フィルム供給リールの端部領域には、その周面に環状に延びる凹部が形成されており、
前記ブレーキ部材が前記フィルム供給リールの回転を許す状態で前記凹部内に入り込む弾性を有する部分を備えており、該ブレーキ部材の該フィルム供給リールからの脱落が防止される請求項１に記載の熱転写インクフィルム。
【請求項３】
前記ブレーキ部材の前記バネ部が、前記弾性を有する部分として機能する請求項２に記載の熱転写インクフィルム。
【請求項４】
前記ブレーキ部材が、樹脂製であり、
前記フィルム供給リールが、紙製の筒体と、該筒体の端部に装着された樹脂製のブレーキ部材装着部とから成る請求項１乃至３のいずれか１つに記載の熱転写インクフィルム。
【請求項５】
前記ブレーキ部材および前記フィルム供給リールが、樹脂製である請求項１乃至３のいずれか１つに記載の熱転写インクフィルム。
【請求項６】
前記ブレーキ部材が、熱転写式記録装置に形成された凹部に挿入され得る楔状の先端部と、挿入されたときに該凹部によって動きが規制される鍔付き基部とを備えている請求項１乃至５のいずれか１つに記載の熱転写インクフィルム。
【請求項７】
請求項１乃至６のいずれか１つに記載の熱転写インクフィルムを交換可能に使用する熱転写式記録装置。
【発明の詳細な説明】
【技術分野】
【０００１】
本発明は、ファクシミリ装置、プリンタ、複写機等に搭載される熱転写式記録装置用の熱転写インクフィルムおよび熱転写式記録装置に関する。
【背景技術】
【０００２】
一般に、この種の熱転写インクフィルムは、フィルム供給リールと、フィルム巻取リールと、フィルム供給リール上に巻回されていると共に先端がフィルム巻取リールに取り付けられたフィルム体とを備えている。この熱転写インクフィルムは、装置のユーザ等によって交換可能となっている。
【０００３】
一方、熱転写式記録装置は、装置に装着された熱転写インクフィルムのフィルム巻取リールに係合してこれを回転駆動し、フィルム供給リールに巻回されているフィルム体をフィルム巻取リールに巻き上げる手段と、記録紙をフィードする手段と、入力データに基づくパターン状に発熱するサーマルヘッドとを備えている。
【０００４】
そして、記録紙とサーマルヘッドとの間に熱転写インクフィルムのフィルム体が配置され、入力データに基づくパターン状に発熱するサーマルヘッドにより加熱されたフィルム体に含まれるインクが記録紙上に当該パターン状に転写される。
【０００５】
このような構成において、フィルム供給リールの慣性により、フィルム巻取リールに巻き上げられるフィルム体がフィルム供給リールから必要以上に繰り出され、弛むことがある。この場合、印刷不良を起こすことがある。このため、フィルム供給リールの回転方向に負荷を与えることによって、フィルム供給リールの過剰な回転と、それによるフィルム体の撓みを防止する必要がある。従来、フィルム供給リールの過回転を防止する手段として、例えば、以下の構造が採られている。
【０００６】
特許文献１には、フィルム供給リールの回転に対して制動力を発生する金属バネを備えた支持構造を、熱転写式記録装置に対して着脱可能に設けた構成が開示されている。
【０００７】
また、特許文献２には、ケースに収められたカセット式の熱転写インクフィルム用の装置において、フィルム供給リールの回転に対して制動力を発生するフィルム供給リール用軸受または摩擦パッドを、熱転写式記録装置に備えた構成が開示されている。
【０００８】
特許文献３には、ケースに収められたカセット式のインクフィルムにおいて、フィルム供給リールの回転に対して制動力を発生するフィルム供給リール用軸受を、ケースに備えた構成が開示されている。
【０００９】
【特許文献１】特開２００３−８０７８３号公報
【特許文献２】特開平２−１６４５７４号公報
【特許文献３】特開平６−８７２５５号公報
【発明の開示】
【発明が解決しようとする課題】
【００１０】
しかし、特許文献１に開示された構成は、金属バネを備えた支持具と呼ばれる構成が多数の部品から成る複雑な構造であり、また、インクフィルムを交換するに際し、ユーザは、支持具の脱着をも行う必要があり、手間を要する。
【００１１】
また、特許文献２に開示された構成は、カセット式のインクフィルムを前提としており、ケースが不要なカセット式ではないインクフィルムに比べてコストの点で不利である。しかも、フィルム供給リール用軸受または摩擦パッドは、インクフィルムを使い切るまでの間に亘って一定の大きさの摩擦力を発生させることが困難であると考えられる。
【００１２】
特許文献３に開示された構成は、カセット式のインクフィルムを前提としており、ケースが不要なカセット式ではないインクフィルムに比べてコストの点で不利である。
【００１３】
それ故、本発明の課題は、ケースを持たない熱転写インクフィルムにおいて、簡素な構成で、交換に際するユーザの負担も軽く、フィルム供給リールから不要にフィルム体が繰り出されて撓むことがない熱転写インクフィルムを提供することである。
【課題を解決するための手段】
【００１４】
本発明によれば、フィルム供給リールと、フィルム巻取リールと、フィルム供給リール上に巻回されていると共に先端がフィルム巻取リールに取り付けられたフィルム体とを有する熱転写インクフィルムにおいて、前記フィルム供給リールの軸方向端部領域に該フィルム供給リールの回転を許す状態で装着される一方、熱転写式記録装置に取り外し可能に固定され得るブレーキ部材を有し、前記ブレーキ部材が、単一の材質製であり、前記フィルム供給リールの前記端部領域を押圧することで該フィルム供給リールの回転方向に負荷を与えるバネ部を備えていることを特徴とする熱転写インクフィルムが得られる。
【００１５】
前記フィルム供給リールの端部領域にはその周面に環状に延びる凹部が形成されており、前記ブレーキ部材が前記フィルム供給リールの回転を許す状態で前記凹部内に入り込む弾性を有する部分を備えており、該ブレーキ部材の該フィルム供給リールからの脱落が防止されるものであってもよい。前記ブレーキ部材の前記バネ部が、前記弾性を有する部分として機能するものであってもよい。
【００１６】
また、前記ブレーキ部材が、樹脂製であり、前記フィルム供給リールが、紙製の筒体と、該筒体の端部に装着された樹脂製のブレーキ部材装着部とから成っていてもよい。この際に、前記ブレーキ部材装着部および前記ブレーキ部材が互いに同種の樹脂製であってもよい。
【００１７】
あるいは、前記ブレーキ部材と、前記フィルム供給リール全体とが、それぞれ樹脂製であってもよい。この際に、前記フィルム供給リールおよび前記ブレーキ部材が互いに同種の樹脂製であってもよい。
【００１８】
さらに、前記ブレーキ部材が、熱転写式記録装置に形成された凹部に挿入され得る楔状の先端部と、挿入されたときに該凹部によって動きが規制される鍔付き基部とを備えていてもよい。
【００１９】
本発明によればまた、上記熱転写インクフィルムを交換可能に使用する熱転写式記録装置が得られる。
【発明の効果】
【００２０】
本発明による熱転写インクフィルムは、ケースを持たない熱転写インクフィルムにおいて、簡素な構成で低コストで製造でき、交換に際するユーザの負担も軽いにもかかわらず、フィルム供給リールから不要にフィルム体が繰り出されて撓むことがなく、印刷不良を招来しない。
【発明を実施するための最良の形態】
【００２１】
以下、本発明について説明する。
【００２２】
本発明による熱転写インクフィルムは、フィルム供給リールの軸方向端部領域にフィルム供給リールの回転を許す状態で装着される一方、熱転写式記録装置に取り外し可能に固定され得るブレーキ部材を有している。ブレーキ部材は、単一の材質製であり、フィルム供給リールの端部領域を押圧することでフィルム供給リールの回転方向に負荷を与えるバネ部を備えている。
【００２３】
このように、本発明による熱転写インクフィルムは、ブレーキ部材が装着されたいわば単一のアセンブリの形態を呈しているため、ユーザが簡単な作業で熱転写式記録装置に着脱することを可能にする。しかも、熱転写インクフィルムが熱転写式記録装置に装着されることにより、ブレーキ部材が熱転写式記録装置によって保持固定され、この固定されたブレーキ部材によって熱転写インクフィルムの不要な回転方向の慣性が規制される。即ち、熱転写式記録装置および熱転写インクフィルムのどちらにおいても、従来例のような部品点数が多く、かつ、複雑な構造のブレーキ構造を設ける必要がない。
【００２４】
尚、本熱転写インクフィルムにおいて、フィルム供給リールの端部領域にはその周面に環状に延びる凹部が形成されており、ブレーキ部材がフィルム供給リールの回転を許す状態で凹部内に入り込む弾性を有する部分を備えており、ブレーキ部材のフィルム供給リールからの脱落が防止されるものであってもよい。さらに、ブレーキ部材のバネ部が、弾性を有する部分として機能するものであってもよい。さらに、ブレーキ部材が、熱転写式記録装置に形成された凹部に挿入され得る楔状の先端部と、挿入されたときに凹部によって動きが規制される鍔付き基部とを備えていてもよい。
【００２５】
これにより、ブレーキ部材が熱転写インクフィルムから簡単に外れ落ちることがなく、また、装着の際には楔状の先端部が挿入の案内を成し、取り扱い性に優れる。また、装着された熱転写インクフィルムのブレーキ部材は、熱転写式記録装置によって確実に保持固定される。
【００２６】
また、ブレーキ部材が、樹脂製であり、フィルム供給リールが、紙製の筒体と、筒体の端部に装着されたブレーキ部材装着部とから成り、ブレーキ部材装着部が、ブレーキ部材と同種の樹脂製であってもよい。あるいは、ブレーキ部材およびフィルム供給リールが、互いに同種の樹脂製であってもよい。
【００２７】
このように、少ない部品点数の本熱転写インクフィルムの部品同士の材質を共通化することで、使用済みの熱転写インクフィルムを廃棄する際に、ゴミの分別が容易である。
【００２８】
本発明によればまた、上記熱転写インクフィルムを交換可能に使用する熱転写式記録装置が得られる。
【００２９】
本熱転写式記録装置は、熱転写インクフィルムを収容する部分の構造が簡素であるにも拘わらず、フィルム供給リールの不要な回転を抑制し、この結果、フィルム体が撓むことなく、正常な印刷を実現できる。
【実施例１】
【００３０】
次に、本発明のより具体的な実施例を、図面を参照して説明する。
【００３１】
図１は、本実施例による熱転写インクフィルムが着脱される熱転写式記録装置としてファクシミリ装置の要部を示している。また、図２（ａ）、（ｂ）、ならびに（ｃ）は、本実施例による熱転写インクフィルム、そのブレーキ部材、ならびに本熱転写インクフィルムが装着された熱転写式記録装置の要部を示している。
【００３２】
図１ならびに図２（ａ）〜（ｃ）を参照すると、本熱転写インクフィルム２０は、従来と同様に、フィルム供給リール２１と、フィルム巻取リール２２と、フィルム供給リール２１上に巻回されていると共に先端がフィルム巻取リール２２に取り付けられたフィルム体２３とを有している。フィルム供給リール２１は、紙製の筒体と、筒体の端部に固定装着されたブレーキ部材装着部２４とを備えている。ブレーキ部材装着部２４は、例えば、ポリスチレン（ＰＳ）製である。ブレーキ部材装着部２４の周面には、環状凹部２４１が形成されている。フィルム巻取リール２２は、紙製の筒体と、筒体の端部に固定装着された受動歯車２５とを備えている。受動歯車２５は、例えば、ポリプロピレン製である。
【００３３】
一方、熱転写式記録装置１０は、熱転写インクフィルム２０の収容部として、フィルム供給リール２１を収容する供給リール収容部１１と、フィルム巻取リール２２を収容する巻取リール収容部１２とを有している。巻取リール収容部１２には、装置に装着された熱転写インクフィルム２０のフィルム巻取リール２２の受動歯車２５に係合してこれを回転駆動し、フィルム供給リール２１に巻回されているフィルム体２３をフィルム巻取リール２２に巻き上げる駆動歯車１３が設けられている。供給リール収容部１１と巻取リール収容部１２との間には、入力データに基づくパターン状に発熱するライン形のサーマルヘッド１６が設けられている。両収容部間にはまた、記録紙５０をフィードすると共にその記録面を熱転写インクフィルム２０のフィルム体２３を挟んでサーマルヘッド１６に押圧するためのプラテン１５が取り外し可能に装着されている。プラテン１５の端部には、受動歯車１５１が備えられている。プラテン１５は、受動歯車１５１に噛合する駆動歯車１４によって回転駆動される。供給リール収容部１１の端部には、熱転写インクフィルム２０の後述するブレーキ部材２６を収容するブレーキ部材収容部１１１と、ブレーキ部材収容部１１１の上端に鍔支持部１１２が形成されている。熱転写インクフィルム２０の収容部は、記録紙５０の挿入部を除いて、図示しない開閉可能な蓋によって覆われる。
【００３４】
本熱転写インクフィルム２０はさらに、フィルム供給リール２１の軸方向端部領域に固定されているブレーキ部材装着部２４にフィルム供給リール２１の回転を許す状態で装着される一方、熱転写式記録装置のブレーキ部材収容部１１１内に取り外し可能に固定され得るブレーキ部材２６を有している。ブレーキ部材２６は、例えば、ポリオキシメチレン（ＰＯＭ）製であり、フィルム供給リール２１の端部領域のブレーキ部材装着部２４をラジアル方向に押圧することでフィルム供給リール２１の回転方向に負荷を与える３個の片持ちバネ部２６３を備えている。尚、フィルム供給リール２１に印加される負荷の大きさは、ブレーキ部材装着部２４およびブレーキ部材２６の各摩擦係数、ブレーキ部材装着部２４の環状溝部２４１の底面の直径、片持ちバネ部２６３のサイズや形状、接触面積や押圧代寸法等を考慮して予め設定される。また、図２（ａ）においてブレーキ部材２６が熱転写インクフィルム２０に装着されていないが、実際には、ブレーキ部材２６がブレーキ部材装着部２４に装着された状態、即ち、単体のアセンブリの形態を呈する熱転写インクフィルム２０として市場を流通する。
【００３５】
フィルム供給リール２１の端部領域に固定されているブレーキ部材装着部２４には前述のごとく環状凹部２４１が形成されている。ブレーキ部材２６は、フィルム供給リール２１の回転を許す状態で環状凹部２４１内に入り込む弾性を有する部分として片持ちバネ部２６３の先端を備えており、ブレーキ部材２６のフィルム供給リール２１からの脱落が防止される。片持ちバネ部２６３の先端がテーパ状を呈していると共にブレーキ部材装着部２４の端縁部が面取りされているため、熱転写インクフィルム２０の組立時にブレーキ部材の片持ちバネ部２６３が破損することなく、容易に装着できる。また、熱転写インクフィルムを使い切って廃棄する際に、ブレーキ部材２６を取り外す必要が仮にある場合も、ユーザは容易にブレーキ部材を取り外すことができる。
【００３６】
また、ブレーキ部材２６は、熱転写式記録装置に形成された凹部１１１に滞りなく挿入され得る楔状の先端部２６１と、ブレーキ部材２６がブレーキ部材収容部１１１凹部１１１内の定位置に挿入されたときに鍔支持部１１２によって動きが規制される鍔付き基部２６２とを備えている。さらに、図示はしないが、鍔支持部１１２内の定位置に支持された鍔付き基部２６２が上方に抜けてしまわぬように、前述の開閉可能な記録装置の蓋等によって抑え止めるようにしてもよい。尚、本発明において楔状とは、先端に近づくにつれ先細りとなる形状全般を含み、したがって、側面から見て円形を呈する本例の先端部２６１も楔状を呈している。
【００３７】
以下、本熱転写インクフィルム２０の交換方法および動作を説明する。
【００３８】
ユーザは、熱転写式記録装置１０の図示しない蓋を開ける。プラテン１５を外し、使用済みのインクフィルムを取り外す。そして、新しい熱転写シンクフィルム２０を、そのフィルム巻取リール２２を巻取リール収容部１２に、フィルム供給リール２１を供給リール収容部１１に収容する。この際、ブレーキ部材２６は、その先端部２６１の形状により、簡単にブレーキ部材収容部１１１内に装着される。また、鍔付き基部２６１は、鍔支持部１１２にセットされる。ユーザは、プラテン１５を装着し、熱転写式記録装置１０の蓋を閉じる。
【００３９】
印刷動作時、記録紙５０の移動に応じて熱転写インクフィルム２０のフィルム体２３がフィルム巻取リール２２に巻き上げられ、フィルム供給リール２１からフィルム体２３が供給される。この際、ブレーキ部材２６の片持ちバネ部２６３がフィルム供給リール２１端部に固定されたブレーキ部材装着部２４に摩擦力を与えるため、フィルム供給リール２１の過剰な回転が生ずることがなく、結果、フィルム体の不要な撓みや巻き緩みは生じない。
【００４０】
使用済みの熱転写インクフィルム２０は、熱転写式記録装置１０から取り外された後、市区町村毎に規定されたゴミ分別方法等に応じて材質別に分解され、廃棄やリサイクルに回される。
【００４１】
尚、フィルム供給リールの筒体は、ブレーキ部材装着部と同様に、ＰＳ等の樹脂製としてもよい。尚、リサイクルの観点から、筒体とブレーキ部材装着部とを同種の樹脂製とするか、あるいは、筒体、ブレーキ部材装着部、およびブレーキ部材の三部位を同種の樹脂製としてもよい。
【００４２】
また、実施例においては、フィルム供給リールが、紙製の筒体とその端部に固定された樹脂製のブレーキ部材装着部とにより構成されていたが、本発明においては、フィルム供給リールが、筒部分とブレーキ部材装着部分とが一体化された樹脂製の単一体であってもよい。この際に、リサイクルの観点から、単一体であるフィルム供給リールとブレーキ部材とを、互いに同種の樹脂製としてもよい。
【００４３】
また、ブレーキ部材のバネ部は、フィルム供給リールまたはブレーキ部材装着部の外周面を押圧する片持ちバネの本例に限らず、フィルム供給リールまたはブレーキ部材装着部の内周面あるいは端面を押圧するものであってもよく、また、バネの形式も両持ちバネや螺旋バネ等であってもよい。
【００４４】
ブレーキ部材のフィルム供給リールからの脱落防止構造として、本例では負荷印加用の片持ちバネを利用したが、脱落防止専用の弾性を有する部位をブレーキ部材に形成してもよい。
【００４５】
ブレーキ部材の材質は、製造の容易性やフィルム供給リールまたはブレーキ部材装着部との素材の共通化の観点から樹脂製が好ましいものの、金属製とすることも可能である。
【００４６】
ブレーキ部材やフィルム供給リール、ブレーキ部材装着部を樹脂製とする場合には、必要な摩擦係数を得られる材質を基本的に選択するが、摩擦によって磨耗が著しかったり、磨耗粉が多く発生するものは避けることが好ましい。
【００４７】
ブレーキ部材の樹脂材料としては、ＰＯＭの他に、ポリプロピレン（ＰＰ）、アクリルニトリル・ブタジエン・スチレン重合体（ＡＢＳ）等が使用可能である。尚、耐摩耗性および自己潤滑性の性質からは、ＰＯＭが好ましい。また、ブレーキ部材装着部の樹脂材料としては、ＰＳの他に、ＰＰ、ＡＢＳ等が使用可能である。さらに、フィルム供給リールの筒体の樹脂材料としても、ＰＳの他に、ＰＰ、ＡＢＳ等が使用可能である。
【産業上の利用可能性】
【００４８】
以上、本発明の実施例について説明してきたが、本発明はこれら実施例に限定されるものではなく、当該特許請求の範囲に記載された技術範囲内であれば、種々の変形が可能であることは云うまでもない。例えば、本発明は、ファクシミリ装置に限らず、プリンタや複写機等に搭載される熱転写式記録装置への適用の可能性を有している。
【図面の簡単な説明】
【００４９】
【図１】本発明による熱転写式記録装置の要部を示す斜視図である。
【図２】本発明の熱転写インクフィルムと熱転写式記録装置を説明するための図であり、（ａ）は熱転写インクフィルムの斜視図、（ｂ）はブレーキ部材の側面図、（ｃ）は熱転写インクフィルムが装着された熱転写式記録装置の要部の斜視図である。
【符号の説明】
【００５０】
１０    熱転写式記録装置
１１    供給リール収容部
１１１  ブレーキ部材収容部
１１２  鍔支持部
１２    巻取リール収容部
１３    駆動歯車
１４    駆動歯車
１５    プラテン
１５１  受動歯車
１６    サーマルヘッド
２０    熱転写インクフィルム
２１    フィルム供給リール
２２    フィルム巻取リール
２３    フィルム体
２４    ブレーキ部材装着部
２４１  環状凹部
２５    受動歯車
２６    ブレーキ部材
２６１  先端部
２６２  鍔付き基部
２６３  片持ちバネ部
５０    記録紙
【図１】
2006327119.tif 000003
【図２】
2006327119.tif 000004
【手続補正書】
【提出日】平成17年8月19日(2005.8.19)
【手続補正１】
【補正対象書類名】特許請求の範囲
【補正対象項目名】全文
【補正方法】変更
【補正の内容】
【特許請求の範囲】
【請求項１】
フィルム供給リールと、フィルム巻取リールと、フィルム供給リール上に巻回されていると共に先端がフィルム巻取リールに取り付けられたフィルム体とを有する熱転写インクフィルムにおいて、
前記フィルム供給リールの軸方向端部領域に該フィルム供給リールの回転を許す状態で装着される一方、熱転写式記録装置に取り外し可能に固定され得るブレーキ部材を有し、
前記ブレーキ部材が、単一の材質製であり、前記フィルム供給リールの前記端部領域を押圧することで該フィルム供給リールの回転方向に負荷を与えるバネ部を備えていることを特徴とする熱転写インクフィルム。
【請求項２】
前記ブレーキ部材の前記バネ部は、前記フィルム供給リールの前記端部領域の外周面、内周面、あるいは端面を押圧する請求項１に記載の熱転写インクフィルム。
【請求項３】
前記ブレーキ部材の前記バネ部が、片持ちバネ、両持ちバネ、あるいは螺旋バネの形態を呈する請求項１または２に記載の熱転写インクフィルム。
【請求項４】
前記フィルム供給リールの前記端部領域には、その周面に環状に延びる凹部が形成されており、
前記ブレーキ部材が前記フィルム供給リールの回転を許す状態で前記凹部内に入り込む弾性を有する部分を備えており、該ブレーキ部材の該フィルム供給リールからの脱落が防止される請求項１乃至３のいずれか１つに記載の熱転写インクフィルム。
【請求項５】
前記ブレーキ部材の前記バネ部が、前記弾性を有する部分として機能する請求項４に記載の熱転写インクフィルム。
【請求項６】
前記ブレーキ部材が、樹脂製である請求項１乃至５のいずれか１つに記載の熱転写インクフィルム。
【請求項７】
前記ブレーキ部材が、金属製である請求項１乃至５のいずれか１つに記載の熱転写インクフィルム。
【請求項８】
前記フィルム供給リールが、紙製の筒体と、該筒体の端部に装着された樹脂製のブレーキ部材装着部とから成り、該ブレーキ部材装着部が、前記フィルム供給リールの前記端部領域として働く請求項１乃至７のいずれか１つに記載の熱転写インクフィルム。
【請求項９】
前記フィルム供給リールが、樹脂製である請求項１乃至７のいずれか１つに記載の熱転写インクフィルム。
【請求項１０】
前記ブレーキ部材が、熱転写式記録装置に形成された凹部に挿入され得る楔状の先端部と、挿入されたときに該凹部によって動きが規制される鍔付き基部とを備えている請求項１乃至９のいずれか１つに記載の熱転写インクフィルム。
【請求項１１】
請求項１乃至１０のいずれか１つに記載の熱転写インクフィルムを交換可能に使用する熱転写式記録装置。
【手続補正２】
【補正対象書類名】明細書
【補正対象項目名】００１４
【補正方法】変更
【補正の内容】
【００１４】
本発明によれば、フィルム供給リールと、フィルム巻取リールと、フィルム供給リール上に巻回されていると共に先端がフィルム巻取リールに取り付けられたフィルム体とを有する熱転写インクフィルムにおいて、前記フィルム供給リールの軸方向端部領域に該フィルム供給リールの回転を許す状態で装着される一方、熱転写式記録装置に取り外し可能に固定され得るブレーキ部材を有し、前記ブレーキ部材が、単一の材質製であり、前記フィルム供給リールの前記端部領域を押圧することで該フィルム供給リールの回転方向に負荷を与えるバネ部を備えていることを特徴とする熱転写インクフィルムが得られる。前記ブレーキ部材の前記バネ部は、前記フィルム供給リールの前記端部領域の外周面、内周面、あるいは端面を押圧するものであってもよい。また、前記ブレーキ部材の前記バネ部が、片持ちバネ、両持ちバネ、あるいは螺旋バネの形態を呈していてもよい。
【手続補正３】
【補正対象書類名】明細書
【補正対象項目名】００１６
【補正方法】変更
【補正の内容】
【００１６】
前記ブレーキ部材は、樹脂製であってもよいし、あるいは、金属製であってもよい。また、前記フィルム供給リールが、紙製の筒体と、該筒体の端部に装着された樹脂製のブレーキ部材装着部とから成り、該ブレーキ部材装着部が、前記フィルム供給リールの前記端部領域として働くものであってもよい。この際に、前記ブレーキ部材装着部および前記ブレーキ部材が互いに同種の樹脂製であってもよい。
【手続補正４】
【補正対象書類名】明細書
【補正対象項目名】００１７
【補正方法】変更
【補正の内容】
【００１７】
あるいは、前記フィルム供給リール全体が、樹脂製であってもよい。この際、さらに前記ブレーキ部材も樹脂製である場合には、前記フィルム供給リールおよび前記ブレーキ部材が互いに同種の樹脂製であってもよい。